(57)【特許請求の範囲】
【請求項１】
ベッド毎に設置されて患者が看護師を呼び出すためのナースコール子機と、ナースステーションに設置されて前記ナースコール子機による呼び出しに応答するためのナースコール親機と、前記ナースコール子機と前記ナースコール親機との間の通信を制御する制御機とを備え、前記ナースコール親機は患者情報一覧を表示するディスプレイを有するナースコールシステムであって、
担当医師、担当看護師、診療科目、救護区分、及び感染症有無を含む患者情報を記憶する患者情報記憶部を有し、
前記ナースコール親機は、前記患者情報の担当医師、担当看護師、診療科目、救護区分、及び感染症有無のうち少なくとも救護区分を選択する選択操作部と、
前記選択操作部の操作を受けて、前記患者情報記憶部から選択された項目に関連付けられている患者を読み出して人数を集計する患者集計手段と、
集計した人数を前記ディスプレイに表示する表示制御部とを有することを特徴とするナースコールシステム。
【請求項２】
前記ディスプレイはタッチパネルを備えると共に、患者情報一覧を表示する一覧表示部と、看護情報を表示する看護情報表示部とを有して、前記患者集計手段が集計した人数一覧は、前記看護情報表示部に表示される一方、
表示された前記人数一覧の中からタッチ操作により特定の項目が選択されると、選択された項目に関連付けられている患者を読み出す関連患者認識手段を有し、
前記表示制御部は、表示されている前記患者情報一覧の中の、前記関連患者認識手段が読み出した患者の表示枠の色或いは明るさを、周囲と異なる状態に変更して強調表示を実施することを特徴とする請求項１記載のナースコールシステム。
【請求項３】
前記制御機には表示する病棟の異なる複数のナースコール親機が接続されており、
前記ナースコール親機は表示する病棟の患者情報を自病棟から他病棟に切り替える病棟切替操作部を有し、
前記病棟切替操作部が操作されると、前記制御機に接続された他のナースコール親機が表示している病棟の患者情報一覧が表示され、
更に前記選択操作部が操作されると、前記患者集計手段は表示されている患者情報一覧が属する病棟の前記患者情報記憶部から選択された項目に関連付けられている患者を読み出して人数を集計することを特徴とする請求項１記載のナースコールシステム。
【請求項４】
前記制御機には表示する病棟の異なる複数のナースコール親機が接続されており、
前記ナースコール親機は表示する病棟の患者情報を自病棟から他病棟に切り替える病棟切替操作部を有し、
前記病棟切替操作部が操作されると、前記制御機に接続された他のナースコール親機が表示している病棟の患者情報一覧が前記一覧表示部に表示され、
更に前記選択操作部が操作されると、表示している病棟の選択された項目に関連づけられている人数一覧が前記看護情報表示部に表示され、
前記表示制御部は、表示された前記人数一覧の中の特定の項目がタッチ操作で選択されると、前記一覧表示部に表示されている前記患者情報一覧の中の、選択された項目に関連づけられている患者の表示枠の色或いは明るさを、周囲とは異なる状態に変更して強調表示することを特徴とする請求項２記載のナースコールシステム。
【発明の詳細な説明】
【技術分野】
【０００１】
本発明は、ナースコールシステムに関し、特にナースコール親機が患者情報一覧等を表示するディスプレイを備えたナースコールシステムに関する。
【背景技術】
【０００２】
患者情報一覧を表示するディスプレイを備えたナースコール親機を有するナースコールシステムがある。例えば、特許文献１のナースコールシステムでは、ナースコール親機が、患者情報一覧を表示する縦長のディスプレイを備えたボード型親機と、患者情報の一覧を主に病棟レイアウトに合わせて表示する大型ディスプレイを備えている。これら２つのディスプレイにより、個々の患者の各種情報が患者情報表示枠内の表示から把握できたし、患者の場所を別途表示操作することなくスムーズに把握することができた。
【先行技術文献】
【特許文献】
【０００３】
【特許文献１】特開２０１４−１７１５２９号公報
【発明の概要】
【発明が解決しようとする課題】
【０００４】
上述したように、患者情報の一覧を表示するディスプレイを備えることで、診療科目や救護区分等の情報は患者の表示枠を見れば把握することができた。
しかしながら、地震の発生等で患者の避難や搬送を緊急に実施しなければならない事態が発生すると、例えば救護区分の独歩、担送等のそれぞれの人数を速やかに把握することができれば、避難計画を立てやすい。また、感染症のある患者の人数も速やかに把握できれば、混乱を防止できる。このような問題は、診療科目や医師毎の担当患者の人数に関しても同様である。
【０００５】
そこで、本発明はこのような問題点に鑑み、救護区分、感染症の有無、医師、看護師、診療科目等を選択したときに、選択した項目や医師等に関連付けられている患者の人数を一目で把握でき、また対象患者の場所を容易に把握できるナースコールシステムを提供することを目的とすることを目的としている。
【課題を解決するための手段】
【０００６】
上記課題を解決する為に、請求項１の発明は、ベッド毎に設置されて患者が看護師を呼び出すためのナースコール子機と、ナースステーションに設置されてナースコール子機による呼び出しに応答するためのナースコール親機と、ナースコール子機とナースコール親機との間の通信を制御する制御機とを備え、ナースコール親機は患者情報一覧を表示するディスプレイを有するナースコールシステムであって、担当医師、担当看護師、診療科目、救護区分、及び感染症有無を含む患者情報を記憶する患者情報記憶部を有し、ナースコール親機は、患者情報の担当医師、担当看護師、診療科目、救護区分、及び感染症有無のうち少なくとも救護区分を選択する選択操作部と、選択操作部の操作を受けて、患者情報記憶部から選択された項目に関連付けられている患者を読み出して人数を集計する患者集計手段と、集計した人数をディスプレイに表示する表示制御部とを有することを特徴とする。
この構成によれば、選択された項目に関連付けられている患者人数をナースコール親機に表示できる。例えば、救護区分を選択すれば担送、護送等の患者人数を表示でき、各人数を速やかに把握でき緊急時等の避難やスムーズな患者移動に役立てることができる。
【０００７】
請求項２の発明は、請求項１に記載の構成において、ディスプレイはタッチパネルを備えると共に、患者情報一覧を表示する一覧表示部と、看護情報を表示する看護情報表示部とを有して、患者集計手段が集計した人数一覧は、看護情報表示部に表示される一方、表示された人数一覧の中からタッチ操作により特定の項目が選択されると、選択された項目に関連付けられている患者を読み出す関連患者認識手段を有し、表示制御部は、表示されている患者情報一覧の中の、関連患者認識手段が読み出した患者の表示枠の色或いは明るさを、周囲と異なる状態に変更して強調表示を実施することを特徴とする。
この構成によれば、一覧表示した患者情報の中の選択された項目に関連付けられている患者の表示枠が強調表示されるため、関連付けられている患者の場所を容易に把握でき、看護業務に役立つ。
【０００８】
請求項３の発明は、請求項１に記載の構成において、制御機には表示する病棟の異なる複数のナースコール親機が接続されており、ナースコール親機は表示する病棟の患者情報を自病棟から他病棟に切り替える病棟切替操作部を有し、病棟切替操作部が操作されると、制御機に接続された他のナースコール親機が表示している病棟の患者情報一覧が表示され、更に選択操作部が操作されると、患者集計手段は表示されている患者情報一覧が属する病棟の患者情報記憶部から選択された項目に関連付けられている患者を読み出して人数を集計することを特徴とする。
この構成によれば、他の病棟の患者情報を表示して選択操作部の操作でその病棟の特定の項目の患者人数を把握できるため、例えば担当医師を選択すれば、病棟を跨いで担当患者がいる医師であっても、同一のナースコール親機から容易に全体の担当患者数を把握することができ、利便性が良い。尚、病棟とは、同一病棟であってもフロアが離れていたり、異なる階に亘り広がっていることで管理エリアが分離されている場合も含むものである。
【０００９】
請求項４の発明は、請求項２に記載の構成において、制御機には表示する病棟の異なる複数のナースコール親機が接続されており、ナースコール親機は表示する病棟の患者情報を自病棟から他病棟に切り替える病棟切替操作部を有し、病棟切替操作部が操作されると、制御機に接続された他のナースコール親機が表示している病棟の患者情報一覧が一覧表示部に表示され、更に選択操作部が操作されると、表示している病棟の選択された項目に関連づけられている人数一覧が看護情報表示部に表示され、表示制御部は、表示された人数一覧の中の特定の項目がタッチ操作で選択されると、一覧表示部に表示されている患者情報一覧の中の、選択された項目に関連づけられている患者の表示枠の色或いは明るさを、周囲とは異なる状態に変更して強調表示することを特徴とする。
この構成によれば、他の病棟の患者情報を表示して選択操作部の操作でその病棟の特定の項目の患者の場所を把握できるため、例えば担当医師を選択すれば、病棟を跨いで担当患者がいる医師であっても、同一のナースコール親機から容易に全体の担当患者の場所を把握することができ、利便性が良い。
【発明の効果】
【００１１】
本発明によれば、選択された項目に関連付けられている患者人数をナースコール親機に表示できるため、例えば担送、護送等の患者人数を表示させれば、緊急時等の避難やスムーズな患者移動に役立てることができる。
また、一覧表示した患者情報の中の選択された項目に関連付けられている患者の表示枠が強調表示されるため、関連付けられている患者の場所を容易に把握でき、看護業務に役立つ。
【図面の簡単な説明】
【００１２】
【図１】本発明に係るナースコールシステムの一例を示す構成図である。
【図２】ナースコール親機の回路ブロック図である。
【図３】第１ディスプレイの表示説明図である。
【図４】患者情報表示枠の説明図である。
【図５】第１ディスプレイの表示説明図である。
【図６】表示病棟が異なるナースコール親機を備えたナースコールシステムの構成図である。
【図７】制御機が複数接続されたナースコールシステムの構成図である。
【発明を実施するための形態】
【００１３】
以下、本発明を具体化した実施の形態を、図面を参照して詳細に説明する。図１は本発明に係るナースコールシステムの一例を示す構成図であり、１はベッド毎に設置されて患者が看護師を呼び出して通話するためのナースコール子機、２は病室の出入口に設置されて患者からの呼出発生を通知する廊下灯、３はナースステーションに設置されて呼出発生を受けて応答するためのナースコール親機、４は呼出／応答に加えて機器間の通信を制御する制御機、５は患者を撮像するためのカメラ、６は看護師が携行して呼び出しに応答するための携帯端末、７は携帯端末６との通信を管理する交換機、８は携帯端末６と通信するために所定の間隔で複数設置された基地局である。
【００１４】
廊下灯２、ナースコール親機３、制御機４、カメラ５等はそれぞれＨＵＢ１０を介して互いにＬＡＮ接続されている。一方、ナースコール子機１は病室毎に廊下灯２に伝送線Ｌ１を介して接続され、交換機７は制御機４に伝送線Ｌ２で接続されている。また、基地局８は交換機７に接続されている。
【００１５】
ナースコール子機１は、呼出ボタン１ａと壁面に設置されたプレート子機１ｂを有し、プレート子機１ｂは、呼出ボタン１ａの接続部及び通話部を備えている。また、廊下灯２は、呼出発生をＬＥＤ等の点灯或いは点滅で通知する表示灯２ａ、患者氏名等の患者情報を表示する液晶表示部２ｂ等を備えている。
【００１６】
ナースコール親機３は、患者からの呼び出しに応答するためのハンドセットを備えた通話部３１、及び呼出元情報等を表示する表示部３２、更に患者情報の一覧を表示するボード部としてのディスプレイ（第１ディスプレイ）３３を備えたボード型親機３０と、別途患者情報を表示するディスプレイ（第２ディスプレイ）３４と、第１ディスプレイ３３と第２ディスプレイ３４の表示を管理する管理装置３５とを備えている。
第１ディスプレイ３３は縦長に形成されて、従来のボード型親機のボード部として使用し易く構成されている。
一方、第２ディスプレイ３４は、離れた位置からでも患者情報を確認出来るよう比較的大型のディスプレイが使用され、例えば第１ディスプレイ３３は２４型の液晶ディスプレイが使用されるのに対して、第２ディスプレイ３４は例えば４０型の液晶ディスプレイが使用される。
【００１７】
図２は、このナースコール親機３の要部回路ブロック図を示している。図２に示すようにボード型親機３０は、通話部３１、表示部３２に加えて、呼出音等の報音や通話音声を制御する音声処理部３８、ボード型親機３０を制御する親機ＣＰＵ３９、ＨＵＢ１０に接続して制御機４と通信する親機ＩＦ４０等を備えている。
管理装置３５は、第１ディスプレイ３３の表示を制御する第１表示制御部３３ａ、第２ディスプレイ３４の表示を制御する第２表示制御部３４ａ、第１ディスプレイ３３に組み付けられたタッチパネルから成る第１操作部３３ｂ、第２ディスプレイ３４に組み付けられたタッチパネルから成る第２操作部３４ｂ、担当医師、担当看護師、診療科目、救護区分、感染症有無等の患者情報を記憶する患者情報記憶部３６、ディスプレイ３３，３４上の各種表示形態を記憶する表示形態記憶部３７、管理装置３５全体を制御する管理装置ＣＰＵ４１、ＨＵＢ１０に接続して制御機４と通信する管理装置ＩＦ４２等を備えている。
【００１８】
表示形態記憶部３７には、患者情報の一覧をディスプレイ３３，３４に表示する際に使用する個々の患者の患者情報の複数の表示形態や、患者から呼び出しが発生した際に表示する呼出元患者情報の複数の表示形態、更に病棟レイアウト図等が記憶されており、この記憶情報を基に各種形態で患者情報が表示される。
図３は、こうして設定された患者情報のうちの１つの形態で病棟レイアウトに合わせて患者情報の一覧を表示した第１ディスプレイ３３を表示した状態を示している。また、第１ディスプレイの３３の下部には後述する診療科目情報を表示した状態を示している。患者情報は、患者毎に患者情報表示枠Ｊ１の中に表示され、患者情報表示枠Ｊ１は病棟のレイアウトに合わせて表示される。
尚、第１ディスプレイ３３は、病棟レイアウト等を表示する一覧表示部Ｅ１と、その下部に各種看護情報を表示する看護情報表示部Ｅ２とで構成されている。
【００１９】
ここで、患者情報表示枠Ｊ１について説明する。図４（ａ）は一覧表示される患者情報表示枠Ｊ１の一例を示し、患者氏名や病室番号Ｒ１、ベッド番号Ｒ２の表示部に加えて、救護区分表示部Ｐ１、点滴表示部Ｐ７、術後表示部Ｐ８等を有し、患者情報が一覧表示された状態でこれらの情報を確認できる。尚、Ｍは通知灯であり、呼び出しが成されたら点滅するよう表示されている。
また図４（ｂ）は、ポップアップ等で患者情報表示枠Ｊ１を拡大して更に詳細を表示した状態を示した患者情報表示Ｊ２を示している。この場合、略中央に患者氏名が表示され、診療科目Ｐ２、担当医師Ｐ３、担当看護師Ｐ４、障害情報Ｐ５、感染情報Ｐ６等が表示される。この表示は、患者情報表示枠をタッチ操作した場合や、患者からの呼び出しが発生した場合に表示される。
【００２０】
このように構成されたナースコールシステムにおいて、以下動作を説明する。但し、ナースコール子機１による呼び出し、ナースコール親機３或いは携帯端末６によるその応答動作は、従来と同様であるため説明を省略し、ここではナースコール親機３において、所定の操作で特定の項目に関連付けられている患者人数を表示する動作を中心に説明する。
ナースコール親機３の所定の操作で、医師名、看護師名、診療科目、救護区分、及び感染症有無のうちの何れかを選択すると、選択した項目の患者数が第１ディスプレイ３３の所定部位に表示される。以下、具体的に説明する。
【００２１】
先ず図３において、Ｓ１〜Ｓ４はこの操作のために第１操作部３３ｂに設けられた操作ボタンであり、Ｓ１は医師選択ボタン、Ｓ２は看護師選択ボタン、Ｓ３は診療科目選択ボタン、Ｓ４は救護区分選択ボタンである。尚、図示しないが他に感染症有の患者選択ボタン等がある。
このボタンＳ１〜Ｓ４を操作することで、管理装置ＣＰＵ４１の制御により操作したナースコール親機３が属している患者の患者情報を患者情報記憶部３６から読み出し、選択した項目の患者数が集計される。そして、集計された人数が第１表示制御部３３ａの制御により第１ディスプレイ３３の所定部位に表示される。
【００２２】
例えば、救護区分選択ボタンＳ４がタッチされると、「救護区分別確認」がディスプレイ下部の看護情報表示部Ｅ２に表示され、救護区分毎の詳細な人数が表示される。図３は、こうして救護区分が選択されたことで救護区分の詳細な人数が表示された状態を示している。この表示により、例えば「担送」の患者が８人いることが瞬時に把握できる。
そして、患者情報一覧が表示された状態で、更に個々の項目の何れか、例えば「護送」の人数表示部をタッチすると、管理装置ＣＰＵ４１及び第１表示制御部３３ａの制御により表示されている一覧の中の対応する５人の患者の患者情報表示枠Ｊ１が明るく或いは周囲と異なる色で強調表示される。合わせて、５人の患者氏名一覧が看護情報表示部Ｅ２に表示される（図示せず）。
図３に示すハッチングされた患者情報表示枠Ｊ１ａがこのような操作で強調表示された部位を示し、このような表示の変化により各患者の場所を一目で把握することが可能となる。
【００２３】
他の項目を選択した場合を簡単に説明すると、医師毎の担当患者数を把握したい場合は、医師選択ボタンＳ１をタッチする。この操作で、図５に示すように「医師別確認」が看護情報表示部Ｅ２に表示され、医師毎の担当患者数が表示される。そして更に表示された医師名をタッチすると、上記した護送の場合と同様に、その医師か担当している患者の患者情報表示枠Ｊ１が患者情報の一覧表示上で強調表示され、患者の場所を把握できる。また、患者氏名の一覧が医師別確認エリアに表示される（図示せず）。
看護師別の担当患者を把握したい場合は、看護師選択ボタンＳ２をタッチする。この操作で、「看護師別確認」が看護情報表示部Ｅ２に表示され、看護師別の患者人数の一覧が医師別と同様に表示される。そして表示された看護師名をタッチすると、担当患者の患者情報表示枠Ｊ１が強調表示される。
【００２４】
このように、選択された項目に関連付けられている患者人数がナースコール親機３に表示されるため、例えば救護区分を選択すれば担送、護送等の患者人数を表示でき、各人数を速やかに把握でき、緊急時等の避難やスムーズな移動に役立てることができる。
また、詳細項目を選択すると、一覧表示した患者情報の中の選択された項目に関連付けられている患者情報表示枠Ｊ１が強調表示されるため、関連付けられている患者の場所を容易に把握でき、看護業務に役立つ。
【００２５】
図６，７は、ナースコールシステムの他の形態を示し、図６は１台の制御機４が複数の病棟Ｕ（第１病棟Ｕ１〜第３病棟Ｕ３）を管理して、表示する病棟が異なる複数のナースコール親機３が接続された構成を示し、図７は管理する病棟が異なる複数の制御機４が接続された構成を示している。
このように病棟の規模や病棟の数により、ナースコールシステムを構成するナースコール親機３の数や制御機４の設置数が異なっている。そこで、本発明のナースコールシステムでは、ナースコール親機３に表示する病棟を選択して切り替える病棟切替操作部としての病棟切替ボタンを設けている。この操作部を設けることで、自病棟のナースコール親機３に他病棟の患者情報を表示させることができる。以下、具体的に説明する。
【００２６】
図３に示す病棟切替ボタンＳ５を操作すると、アクセス可能（表示切替可能）な病棟が看護情報表示部Ｅ２に表示される（図示せず）。この表示の中から見たい病棟を選択すると、一覧表示部Ｅ１に表示される患者情報一覧が自病棟から選択先の他病棟に切り替わる。その後は、上述したように、例えば救護区分選択ボタンＳ４がタッチ操作されると、表示している病棟に入院中の患者の救護区分毎の人数が図３に示した表示と同様に表示される。
更に、表示された救護区分のうち例えば「護送」の人数表示部をタッチすると、表示されている一覧の中の対応する患者の患者情報表示枠Ｊ１が明るく或いは周囲と異なる色で強調表示され、また護送に設定されている患者氏名一覧が看護情報表示部Ｅ２に表示される（図示せず）。
【００２７】
このように、病棟切替ボタンＳ５の操作で同一の制御機４が管理する他の病棟の患者情報を表示できるし、更に他の制御機４が管理している病棟の患者情報の一覧も表示できる。その結果、表示された病棟の患者情報一覧に対して、特定の項目を選択すればその項目の患者人数を把握でき、例えば担当医師を選択すれば、病棟を跨いで担当患者がいる医師であっても、同一のナースコール親機３から容易に全体の担当患者数を把握することができるため、利便性が良い。
【００２８】
尚、上記実施形態では、周囲より明るくすることで強調表示させているが、逆に周囲を暗くブラックアウトさせて強調表示させても良い。
また、患者人数を把握するために選択操作が可能な項目は、少なくとも救護区分が選択できるだけでも役立つ。更に、ナースコール親機３が患者情報を保持しているが、制御機４であっても良いし、図示しないサーバに保存しても良い。
加えて、患者情報一覧を病棟レイアウト上に表示した場合（レイアウト表示）を説明したが、単純に患者情報を一覧表示した場合（エスカッション表示）においても、同様に患者情報表示枠を強調表示させることも容易に実施でき、同様に選択した項目に関連付けられている患者を容易に把握できる。
また、第１ディスプレイ３３に表示する場合を説明したが、第２ディスプレイ３４において同様の表示を実施しても良い。
【符号の説明】
【００２９】
１・・ナースコール子機、３・・ナースコール親機、４・・制御機、３３・・第１ディスプレイ（ディスプレイ）、３３ａ・・第１表示制御部（表示制御部）、３３ｂ・・第１操作部（選択操作部）、３６・・患者情報記憶部、４１・・管理装置ＣＰＵ（患者集計手段、関連患者認識手段）、Ｓ１・・医師選択ボタン（選択操作部）、Ｓ２・・看護師選択ボタン（選択操作部）、Ｓ３・・診療科目選択ボタン（選択操作部）、Ｓ４・・救護区分選択手段（選択操作部）、Ｓ５・・病棟切替ボタン（病棟切替操作部）、Ｊ１・・患者情報表示枠（表示枠）。
【図１】
0006735127.tif 000002
【図２】
0006735127.tif 000003
【図３】
0006735127.tif 000004
【図４】
0006735127.tif 000005
【図５】
0006735127.tif 000006
【図６】
0006735127.tif 000007
【図７】
0006735127.tif 000008